(57)【要約】【課題】パチンコ台の枠、板、基板の各々についてその輸送時、据付時、撤去時、廃棄時における個別の番号を管理し不正行為を防止し、製造業者、販売業者、輸送業者、ホール、倉庫業者での管理項目を最適化して、全体の管理コストを低減すること。【解決手段】通信ネットワークに接続されたＩＤ番号を発行する管理サーバと、ＩＤ番号、製品名、業者コード等の履歴データを登録した管理サーバとで構成され、製造業者端末、販売業者端末、輸送業者端末、倉庫業者端末、廃棄業者端末およびホール管理端末からの履歴の追加登録の要求に従いデータベースの履歴情報を追加登録することを特徴とする。【選択図】図２
2006174974.tif 000002
【特許請求の範囲】
【請求項１】
通信ネットワークに接続されて製造業者の求めに応じ、遊技機の枠、板、基板単位でユニークなＩＤ番号を発行するＩＤ発行サーバと、
通信ネットワークに接続されて、前記ＩＤ発行サーバから送られてくるＩＤ番号の情報からデータベースを生成する管理サーバと、
製造業者が保有し通信ネットワークに接続されて、前記管理サーバのデータベースの履歴に追加登録する手段を有する製造業者端末と、
販売業者が保有し通信ネットワークに接続されて、遊技機の枠、板、基板単位でＩＤ番号を読み取り、その情報をネットワークを経由して、前記管理サーバのデータベースの履歴に追加登録する手段を有する販売業者端末と、
輸送業者が保有し通信ネットワークに接続されて、少なくとも販売業者からの輸送依頼情報を受け取る手段を有し、指示された遊技機の枠、板、基板単位でＩＤ番号を読み取り、その情報をネットワークを経由して、前記管理サーバのデータベースの履歴に追加登録する手段を有する輸送業者端末と、
倉庫業者が保有し通信ネットワークに接続されて、販売業者からの入庫指示または出庫指示を受け取る手段を有し、指示された遊技機の枠、板、基板単位でＩＤ番号を読み取り、その情報をネットワークを経由して、前記管理サーバのデータベースの履歴に追加登録する手段を有する倉庫業者端末と、
廃棄業者が保有し通信ネットワークに接続されて、遊技機の枠、板、基板単位でＩＤ番号を読み取り、その情報をネットワークを経由して、前記管理サーバのデータベースの履歴に追加登録する手段を有する廃棄業者端末と、
ホールに設置されて、通信ネットワークに接続されて、ホールに設置した枠、板、基板のＩＤ番号を収集する手段を有し、その情報をネットワークを経由して、前記管理サーバのデータベースの履歴に追加登録する手段を有するホール管理端末と、から構成され、
前記ＩＤ発行サーバは、前記製造業者端末からのＩＤ番号の発行要求に応答して発行したＩＤ番号とその情報を前記管理サーバに送る手段を有し、
前記管理サーバは、製造業者端末、販売業者端末、輸送業者端末、倉庫業者端末、廃棄業者端末およびホール管理端末からの履歴の追加登録の要求に応答してデータベースの履歴情報を追加することを特徴とする遊技機の管理システム。
【請求項２】
前記ＩＤ番号はＲＦＩＤのタグに記録してＲＦＩＤリーダによりその番号を読み取ることを特徴とする請求項１に記載の遊技機の管理システム。
【請求項３】
前記管理サーバのデータベースに履歴情報を登録した業者に対して、さらに業者個別データを登録する手段を有し、該登録した業者は該業者個別データを随時書き換えを可能とする機能を有することを特徴とする請求項１に記載の遊技機の管理システム。
【請求項４】
前記管理サーバのデータベースに記録された履歴情報を検索閲覧する際に、検索閲覧する業者コードにより、閲覧範囲を制限する機能を有することを特徴とする請求項１に記載の遊技機の管理システム。
【請求項５】
前記管理サーバは前記履歴情報を追加登録する際に新たにキーコードを生成して、追加登録を要求した端末に前記キーコードの情報を送る機能を有することを特徴とする請求項１に記載の遊技機の管理システム。
【発明の詳細な説明】
【技術分野】
【０００１】
本発明は、パチンコ、スロットマシン等の遊技機の輸送管理システムに関し、詳しくは、新台または中古台の輸送時、据付時、撤去時、廃棄時における物品管理システムに関するものである。
【背景技術】
【０００２】
パチンコ台は台の外装部分の枠と、内部の盤面部分の板と、前記板を制御する電子回路を搭載した基板の３つにより構成されている。
板と基板の組合せは決まっているが、枠については、同一の枠に複数の板と基板の組合せが実装可能である。
【０００３】
ホールにおいて台の入れ替えを行う際に、枠、板、基板の全てを入れ替える場合と、枠はそのままに、板と基板を入れ替える場合がある。
パチンコ台は不正行為防止のために、製造から廃棄、リサイクルまでの管理を行う必要がある。特にホールに設置する際には、枠、板、基板の組合せは各々個別の番号で管理され同じ基板でも個別の番号が一致していないと不正行為となる場合がある。
【０００４】
従ってホールに設置する場合に枠、板、基板の各々の識別番号が正規な物であるかを確認して輸送、設置をすることが必要であり、ホールから搬出する場合にも枠、板、基板の個別の識別番号を確認して輸送するが必要であり、この確認の手間が問題となっている。
【０００５】
特許文献１には、商品の発注、受注、出荷、荷受、輸送、保管、流通加工に関する情報を中央コンピュータに集約して商品の流通管理を行い、物品の流通状況を把握する方法が開示されている。
【０００６】
【特許文献１】特開２００２−１０９００２号公報
【発明の開示】
【発明が解決しようとする課題】
【０００７】
本発明は、上記問題を解決するためになされたもので、新品のパチンコ台または中古のパチンコ台の枠、板、基板の各々についてその輸送時、据付時、撤去時、廃棄時において個別の識別番号を基に履歴情報を追加更新し、不正行為を防止することができる遊技機の管理システムを提供することを目的としている。
【課題を解決するための手段】
【０００８】
上記目的を達成するために本発明は、通信ネットワークに接続されて製造業者の求めに応じて、ＩＤ番号を発行するＩＤ発行サーバと、通信ネットワークに接続されて、前記ＩＤ発行サーバから送られてくるＩＤ番号の情報からデータベースを生成する管理サーバと、製造業者が保有し通信ネットワークに接続されて、前記管理サーバのデータベースの履歴に追加登録する手段を有する製造業者端末と、販売業者が保有し通信ネットワークに接続されて、遊技機の枠、板、基板単位でＩＤ番号を読み取り、その情報をネットワークを経由して、前記管理サーバのデータベースの履歴に追加登録する手段を有する販売業者端末と、輸送業者が保有し通信ネットワークに接続されて、販売業者からの輸送依頼情報を受け取る手段を有し、指示された遊技機の枠、板、基板単位でＩＤ番号を読み取り、その情報をネットワークを経由して、前記管理サーバのデータベースの履歴に追加登録する手段を有する輸送業者端末と、倉庫業者が保有し通信ネットワークに接続されて、販売業者からの入庫指示または出庫指示を受け取る手段を有し、指示された遊技機の枠、板、基板単位でＩＤ番号を読み取り、その情報をネットワークを経由して、前記管理サーバのデータベースの履歴に追加登録する手段を有する倉庫業者端末と、廃棄業者が保有し通信ネットワークに接続されて、遊技機の枠、板、基板単位でＩＤ番号を読み取り、その情報をネットワークを経由して、前記管理サーバのデータベースの履歴に追加登録する手段を有する廃棄業者端末と、ホールに設置されて、通信ネットワークに接続されて、ホールに設置した枠、板、基板のＩＤ番号を収集する手段を有し、その情報をネットワークを経由して、前記管理サーバのデータベースの履歴に追加登録する手段を有するホール管理端末と、から構成され、前記ＩＤ発行サーバは、前記製造業者端末からのＩＤ番号の発行要求に応答してユニークな番号を発行し、その番号情報を前記管理サーバに送る手段を有し、前記管理サーバは、製造業者端末、販売業者端末、輸送業者端末、倉庫業者端末、廃棄業者端末およびホール管理端末からの履歴の追加登録の要求に応答してデータベースの履歴情報を追加することを特徴とする。
【０００９】
前記ＩＤ番号はＲＦＩＤのタグに記録してＲＦＩＤリーダによりその番号を読み取ることを特徴とする。
【００１０】
前記管理サーバのデータベースに履歴情報を登録した業者に対して、さらに業者個別データを登録する手段を有し、該登録した業者は該業者個別データを随時書き換えを可能とする機能を有することを特徴とする。
【００１１】
前記管理サーバのデータベースに記録された履歴情報を検索閲覧する際に、検索閲覧する業者コードにより、閲覧範囲を制限する機能を有することを特徴とする。
【００１２】
前記管理サーバは前記履歴情報を追加登録する際に新たにキーコードを生成して、追加登録を要求した端末に前記キーコードの情報を送る機能を有することを特徴とする。
【発明の効果】
【００１３】
本発明によれば、管理サーバにおいては、ＲＦＩＤの番号と物品の対応及び履歴の管理を行うことで、不正な製品を市場から排除できる。
本発明によれば、ＲＦＩＤを用いることで、梱包状態でも識別が可能であり、とくに輸送、倉庫での作業効率が向上する。
【発明を実施するための最良の形態】
【００１４】
本発明の実施例を図を参照して説明する。
【００１５】
図１は製造業者、倉庫業者、ホール、廃棄業者の間を販売業者の指示に従い、パチンコの物品が輸送業者による輸送経路を示す図面である。
販売業者からの出荷依頼により、製造業者からパチンコの枠、板、基板が、ホールに直接または倉庫に送られる。
【００１６】
販売業者の出庫指示により倉庫からパチンコの枠、板、基板が、ホールに送られる。
販売業者からの設置指示に従い、ホールでの設置作業を行う。
販売業者からの撤去指示に従いホールから撤去されたパチンコの枠、板、基板は、倉庫または、廃棄業者に送られる。
【００１７】
本発明は図１に示すパチンコの移動の際に枠、板、基板の個別の番号を認識する方法としてＲＦＩＤをもちい、コンピュータに接続されたＲＦＩＤリーダによりＲＦＩＤの番号を読み取り現品を確認するとともに、そのＩＤ番号に関する履歴情報を管理サーバに登録し、検索を可能にして、不正なＩＤ番号を排除するシステムである。
ＲＦＩＤは書き換え可能なエリアがあるが、本発明ではＲＦＩＤが個別に有するユニークな番号を利用して物品管理を行うものである。
【実施例１】
【００１８】
図２は本実施の形態における遊技機の物品管理システムの、ネットワーク構成の概略図である。
図２において、１０１はＲＦＩＤの番号を発行するＩＤ発行サーバであり、ＲＦＩＤの番号と製造業者名、製品の型番などの情報を枠、板、基板別に登録されたデータベースを有し、複数の製造業者からの要求に応じて、それぞれに独立したＲＦＩＤの番号を発行し、その情報を管理サーバ１１０に登録する機能を有する。
ＩＤ発行サーバへのアクセスは、事前に登録を行い許可されたログインＩＤとパスワードにより接続を可能とする。
【００１９】
製造業者、販売業者、倉庫業者、廃棄業者、ホールにはそれぞれ端末が設置されていて、インターネットにより、管理サーバと情報交換が可能な機能を有する。
前記端末は、各業者ごとに定められたログインＩＤとログインパスワードにより、管理サーバにアクセスができるようにして、不正なアクセスを防止する。
【００２０】
管理サーバ１１０は、登録されたＲＦＩＤの番号に付随する情報と、その履歴データの登録管理を行う。
履歴データの閲覧については、各業者は自社で追加した情報のみ閲覧が可能である。
ただし製造業者は、製品の製造業者コードが入っているので、自社で製造した製品の履歴は全て閲覧可能とする。
管理サーバにアクセスして、履歴データの追加、閲覧を行うには、事前に業者登録を行い、許可されたログインＩＤとパスワードにより接続を可能とする。
【００２１】
本発明のデータ構造の例を図３に示す。
ＩＤ発行サーバにおいては、図３に示す上位の５項目が登録される。
製造業者ＩＤ番号はＩＤ発行サーバが生成するユニークなアルファベット文字と数字の組合せで構成される。
ＩＤ番号取得年月日は、製造業者からの要求でＩＤ番号を発行した日付をＩＤ発行サーバが自動的に記入する。
業者コードはログインＩＤからＩＤ発行サーバが業者名を特定してそのコードを記入する。
製品名称、メーカ型番は製造業者がインプットしたデータを記入する。
ＩＤ発行サーバは、登録されたデータを通信ネットワークを介して管理サーバに送る。
【００２２】
管理サーバにおいては、ＩＤ発行サーバから送られてきたデータを登録する。
その後、他の業者から送られる情報から、該当するＩＤ番号に対応した履歴の追加登録に応じて履歴データをＩＤ番号に関連付けて追加する。
図３の履歴番号は管理サーバが自動的に番号を取得して記入する。
記録追加年月日時分秒は業者からの追加登録を実行した時点のコンピュータの時計からデータを取得して記入する。
【００２３】
登録年月日は、業者が入力したデータを記入する。
業者コードはログインＩＤから管理サーバが業者名を特定してそのコードを記入する。
記事は、業者が入力したデータを記入する。記事の内容は「移動」「廃棄処分」「リサイクル」「修理」などでコード化されたデータとなっている。
【００２４】
記録追加年月日時分秒と登録年月日の２つの日付データは、業者側の事務手続等により、製品の移動と履歴の追加登録の日付が異なることが起きても影響が無いようにするためである。
管理サーバにおいては、記事欄に「廃棄処分」のコードが登録されたＩＤ番号のデータについて、以後のデータの追加登録を禁止する。
【００２５】
次に物品の流通とＲＦＩＤから読み取るＩＤ番号の情報の流れについて説明する。
製造業者においては、枠、板、基板の製造計画段階でＩＤ発行サーバより与えられた番号のＲＦＩＤのチップを用意し、ＩＤ発行サーバにアクセスして、番号の登録要求を出しデータベースに登録する。
【００２６】
図２において、１０２は製造業者の端末であり、ＲＦＩＤの番号、製品名、自社での社内コード、型番、製造番号、製造年月日、履歴等のデータベースを有する。
製造業者は、パチンコ台の枠、板、基板の製造する際にＩＤ発行サーバにアクセスして、個別の番号を発行してもらい、ＲＦＩＤのチップを作成して、製品に取り付ける。
ＩＤ発行サーバで発行したＩＤ番号と付随情報は、管理サーバに送られデータベースに登録されるので、製造業者は製造時には管理サーバに対しての履歴の追加登録の必要は無い。リサイクル等で製品が製造業者に戻るときには、製造業者端末から管理サーバに対して履歴の追加登録を行う。
【００２７】
図２において、１０３は販売業者端末であり、自社の在庫品についてＲＦＩＤの番号と製造業者名、製品の型番、製造番号のデータと、顧客情報として販売先のホールにおけるパチンコ台を構成する枠、板、基板に関するデータを保有する。
販売業者は、販売業者端末を用いて管理サーバにアクセスし、自社の管理下に新たに加わった製品の情報を管理サーバの履歴情報に追加登録する。
【００２８】
図２において、１０４は輸送業者端末であり、輸送依頼の情報からパチンコ台を構成する枠、板、基板のＲＦＩＤの番号と送付先、送付日時のデータを登録する。
届け先での検収が済んだ個別のデータはアーカイブ領域に移動することで、データエリアが大きくなることを防止する。
輸送業者は、荷受時に管理業者端末を用いて管理サーバにアクセスし、自社の管理下にある製品の情報を管理サーバの履歴情報に追加登録する。
【００２９】
図２において、１０５は輸送車両に搭載する移動端末であり、輸送依頼の情報から当日の作業分のデータを輸送業者端末１０４からコピーしておき、物品の引き取り、引渡しの際に、物品に取り付けてあるＲＦＩＤからハンディ型のＲＦＩＤの読み取り装置１０６によりＩＤ番号を読込んで、データと比較し現品確認を行う。
【００３０】
輸送車両に搭載するコンピュータは通信機能により輸送業者端末１０４と通信を行い、貨物の積み込み及び引渡し完了の時点で情報を送信して、輸送業者端末１０４のデータを更新する。引渡しが完了したデータはアーカイブ領域に移動させてデータのエリアが増加することを防止する。
【００３１】
図２において、１０７は倉庫業者端末であり、ＲＦＩＤの番号と物品名、顧客名、荷姿、保管場所、保管期間に関するデータを保有する。
ＲＦＩＤを用いることで梱包状態でも確認が可能であり、作業効率の向上を図る。
倉庫業者端末では、出庫した物品に関するデータはアーカイブ領域に移動させてデータのエリアが増加することを防止する。
倉庫業者は、入庫時に倉庫業者端末を用いて管理サーバにアクセスして、自社の管理下にある製品の情報を管理サーバの履歴情報に追加登録する。
【００３２】
図２において、１０８は廃棄業者端末である。廃棄業者は、廃棄した製品のＲＦＩＤの番号を読み取り、廃棄業者端末を用いて管理サーバにアクセスして、製品の情報を管理サーバの履歴情報に追加登録する。廃棄業者が廃棄処理をしたときには、データ登録の際に記事欄は廃棄処分となる。
管理サーバにおいて、履歴情報に廃棄業者からの廃棄情報が追加登録された後は、該当するＩＤ番号のデータの追加登録は全て不可とする。
【００３３】
図２において、１０９はホール管理端末である。販売業者から納入されたパチンコ台が正しい枠、板、基板の番号であることの確認を行い、結果を記録しておく。
ホール業者は、パチンコ台の設置時にホール管理端末を用いて管理サーバにアクセスして、自社の管理下にある製品の情報を管理サーバの履歴情報に追加登録する。
予めホール内のパチンコ台の種別、台数が把握されているので、台を入れ替える台の枠、板、基板の番号を指定することで計画通りに入れ替えができる。
【００３４】
以上説明したように、管理サーバにおいては、製品が業者間で、販売、設置、移動されるごとに履歴情報の追加登録がなされる。
各業者は、管理サーバのデータのうち、自社に関する履歴情報のみを検索閲覧することができる。
【００３５】
図３の右側に検索閲覧の範囲を示す。この例では、Ａ製造会社、Ｂ運輸会社、Ｃホール、Ｄ廃棄会社について図示している。
製造業者においては、自社製品に関する全ての履歴情報が検索閲覧することができ、自社の製品が市場でどのように流通しているかが把握できる。
販売業者においては、自社で追加登録した履歴情報のみが検索閲覧することができ、在庫品についての量が把握でき、ホールからの注文にたいして、適切な納期回答が可能となる。
【実施例２】
【００３６】
実施例２は、実施例１の管理サーバのデータベースに業者個別データの欄を追加した構造として、業者個別データは登録を行った業者のみが検索閲覧可能としたものである。
図４にデータベースの構造と記入例を示し検索閲覧可能な範囲の例を示す。図３と同様に検索閲覧可能範囲を丸印で示す。
図４の＊印は業者個別データであり、履歴データを登録した業者が随時、登録内容を更新することができ、また該業者が検索閲覧ができることを示す。業者個別データは、各業者により任意に使うことができる。
自社のデータベースとの連携の情報を記述して、自社の管理情報と連携することも可能である。
【００３７】
図４ではＡ製造会社、Ｂ運輸会社、Ｃホール、Ｄ廃棄会社の例を示す。
Ａ製造会社は自社以外の業者個別データを除き、全てのデータが検索閲覧可能である。
Ａ製造会社はＩＤ番号の取得の際にＩＤ発行サーバにメーカ型番と業者個別データを登録する。
ＩＤ発行サーバは登録されたデータを管理サーバに送る。
【００３８】
Ｂ運輸会社は、物品に取り付けられたＲＦＩＤからＩＤ番号を読み取り、該ＩＤ番号の履歴データの追加登録を行う。
Ｂ運輸会社の端末からは、図４に示すように、ＩＤ番号、ＩＤ番号取得年月日、業者コード、製品名称、メーカ型番と自社で登録した、履歴番号、記録追加年月日時分秒、業者コード、記事、業者個別データが検索閲覧可能となる。
【００３９】
同様に図４のＣホール、Ｄ廃棄会社からも自社で登録したデータとＩＤ番号、ＩＤ番号取得年月日、業者コード、製品名称、メーカ型番が検索閲覧可能となっている。
【００４０】
業者個別データを付加して、随時にデータ変更を可能とすることで、各業者における事務処理との連携が可能となる。
【実施例３】
【００４１】
つぎに、本システムのセキュリティについて述べる。
一品ごとにＩＤ番号で管理されているが、製品に取り付けられているＲＦＩＤからＩＤ番号を読み出して、ＲＦＩＤをコピーし別の製品に取り付けるような不正行為に対する防護方法を開示する。
【００４２】
実施例１で説明したように、製品の流れとＲＦＩＤのＩＤ番号の管理が同時に移動することを利用して、管理サーバにおいて、データベースにキーコードを付加して、履歴の追加登録するごとにＩＤ番号別に前記キーコードを新たに生成させ、履歴の登録完了時に前記キーコードを登録者の端末に送る。
【００４３】
図５にキーコードを付加したときのデータ構造を示す。
図５のように履歴の各項目の最後に、管理サーバで発行するキーコードが記入される。
管理サーバでは履歴の追加要求があった場合に直前のキーコードとの一致をチェックしてキーコードが一致している場合のみ追加登録を実行する。キーコードが不一致であれば追加登録は実行しないで、エラーの記録をして、要求者に対してはＩＤ番号またはキーコードの間違いであることを通知する。
【００４４】
履歴を追加登録した業者は、次に製品を引き渡す業者に対して、ＲＦＩＤのＩＤ番号とともに前記キーコードを渡すことで、製品を受け取った業者が、管理サーバにログインして、ＲＦＩＤの番号とキーコードにより履歴情報の追加登録を可能とする。
履歴情報の追加登録が完了すると新たなキーコードを生成して追加登録した業者に返す。
廃棄業者が履歴情報の追加登録を行い「廃棄処分」とした場合には、キーコードの生成、送り返しは行わないで以後の追加登録を不可とする。
【００４５】
履歴情報の追加登録ごとに新たなキーコードを生成することで、ＲＦＩＤの番号を不正に入手してＲＦＩＤのコピーを作成し別の製品につけて不正出荷しても、管理サーバの履歴の追加登録ができないので、不正な物品として扱われ、市場から排除される。
【００４６】
以上説明したように、本発明は１製品毎にＩＤ番号を付加して、該製品の製造段階から廃棄処分までの履歴を記録すること製品の管理ができ、流通段階での不正行為を防止することができる。
また、このＩＤ番号を自社の流通管理システムで使うことで、製品個々の管理を行うことができる。
【００４７】
実施例ではＩＤ発行サーバと管理サーバが独立した場所に設置した構成となっているが、同一の場所に設置してもよい。またＩＤ発行サーバと管理サーバを同一のコンピュータで構成することもできる。この場合にはＩＤ番号の発行と同時にデータベースの作成ができるので、ＩＤ発行サーバから管理サーバへのデータの転送は必要なくなる。
【図面の簡単な説明】
【００４８】
【図１】パチンコの輸送経路を示す図面である。
【図２】本発明の構成を示す図面である。
【図３】本発明の実施例のデータ構造を示す図面である。
【図４】本発明の他の実施例におけるデータ構造を示す図面である。
【図５】本発明の実施例でキーコードを付加した場合のデータ構造を示す図面である。
【符号の説明】
【００４９】
１０１    ＩＤ発行サーバ
１０２    製造業者端末
１０３    販売業者端末
１０４    輸送業者端末
１０５    輸送業者の移動端末
１０６    ハンディタイプのＲＦＩＤ読み取り装置
１０７    倉庫業者端末
１０８    廃棄業者端末
１０９    ホール管理端末
１１０    管理サーバ
【図１】
2006174974.tif 000003
【図２】
2006174974.tif 000004
【図３】
2006174974.tif 000005
【図４】
2006174974.tif 000006
【図５】
2006174974.tif 000007